(57)【要約】【課題】センタ装置と、当該センタ装置とは異なるロケーションに設置された複数のリモート装置とを含み、センタ装置と複数のリモート装置とが個別の伝送媒体を介して相互に接続されて通信を行う通信網において、通信リンクの異常の原因がリモート装置か伝送媒体かを容易に切り分けること。【解決手段】各リモート装置２０Ａ，２０Ｂの状態に関する情報である装置状態情報を、センタ装置１０との間の伝送媒体３０Ａ，３０Ｂとは異なる伝送媒体４１を介して各リモート装置２０Ａ，２０Ｂ間で共有してセンタ装置１０に送信し、センタ装置１０は一のリモート装置との間の通信リンクの異常を検出したとき、各リモート装置２０Ａ，２０Ｂの装置状態情報に基づいて障害の発生箇所が当該一のリモート装置か当該一のリモート装置との間の伝送媒体かを判別する。【選択図】図２
2015111797.tif 000002
【特許請求の範囲】
【請求項１】
センタ装置と、当該センタ装置とは異なるロケーションに設置された複数のリモート装置とを含み、前記センタ装置と複数のリモート装置とが個別の伝送媒体を介して相互に接続され通信を行う通信網における通信状態を監視する方法であって、
各リモート装置が、当該リモート装置の状態に関する情報である装置状態情報を定期的に又は指示に応じて作成する工程と、
各リモート装置が、前記センタ装置との間の個別の伝送媒体とは異なる他の伝送媒体を介して他のリモート装置の装置状態情報を定期的に又は指示に応じて収集する工程と、
各リモート装置が、前記作成および収集した装置状態情報を定期的に又は指示に応じて前記個別の伝送媒体を介して前記センタ装置に送信する工程と、
センタ装置が、前記各リモート装置との間の通信リンクの正常性を確認する工程と、
センタ装置が、前記各リモート装置の装置状態情報を前記個別の伝送媒体を介して定期的に又は指示を出して収集する工程と、
センタ装置が、一のリモート装置との間の通信リンクの異常を検出したとき、前記収集した各リモート装置の装置状態情報に基づいて障害の発生箇所が当該一のリモート装置か当該一のリモート装置との間の個別の伝送媒体かを判別する工程とを含む
ことを特徴とする通信状態監視方法。
【請求項２】
前記に加え、
一のリモート装置との間の通信リンクの異常が当該一のリモート装置の障害によるものであると判別した場合において、
センタ装置が、当該一のリモート装置への装置内試験の実施の指示を当該一のリモート装置とは異なるリモート装置へ個別の伝送媒体を介して送信する工程と、
前記異なるリモート装置が、前記一のリモート装置への装置内試験の実施の指示を他の伝送媒体を介して転送する工程と、
前記異なるリモート装置が、前記一のリモート装置での装置内試験の実施結果を他の伝送媒体を介して収集する工程と、
前記異なるリモート装置が、前記一のリモート装置での装置内試験の実施結果を個別の伝送媒体を介してセンタ装置へ送信する工程と、
センタ装置が、前記一のリモート装置における装置内試験の実施結果を、前記異なるリモート装置から個別の伝送媒体を介して受信する工程と、
センタ装置が、前記一のリモート装置における装置内試験の実施結果から詳細な障害発生箇所を特定する工程とを含む
ことを特徴とする請求項１に記載の通信状態監視方法。
【請求項３】
前記センタ装置と各リモート装置との間での装置状態情報その他の通信状態監視に関わる情報の送受信は、複数のリモート装置のうちの特定のリモート装置とセンタ装置との間でのみ実行する
ことを特徴とする請求項１又は２に記載の通信状態監視方法。
【請求項４】
前記センタ装置と各リモート装置との間での装置状態情報その他の通信状態監視に関わる情報は、主信号とは別の監視用信号を用いて送受信する
ことを特徴とする請求項１乃至３のいずれかに記載の通信状態監視方法。
【請求項５】
センタ装置と、当該センタ装置とは異なるロケーションに設置された複数のリモート装置とを含み、前記センタ装置と複数のリモート装置とが個別の伝送媒体を介して相互に接続されて通信を行う通信網における通信状態を監視するシステムであって、
前記各リモート装置は、
前記センタ装置との間の個別の伝送媒体とは異なる他の伝送媒体を介して互いに通信可能に接続されるとともに、
当該リモート装置の状態に関する情報である装置状態情報を定期的に又は指示に応じて作成する手段と、
前記他の伝送媒体を介して他のリモート装置の装置状態情報を定期的に又は指示に応じて収集する手段と、
前記作成および収集した装置状態情報を定期的に又は指示に応じて前記個別の伝送媒体を介して前記センタ装置に送信する手段とを備え、
前記センタ装置は、
前記各リモート装置との間の通信リンクの正常性を確認する手段と、
前記各リモート装置の装置状態情報を前記個別の伝送媒体を介して定期的に又は指示を出して収集する手段と、
一のリモート装置との間の通信リンクの異常を検出したとき、前記収集した各リモート装置の装置状態情報に基づいて障害の発生箇所が当該一のリモート装置か当該一のリモート装置との間の個別の伝送媒体かを判別する手段とを備えた
ことを特徴とする通信状態監視システム。
【請求項６】
複数のリモート装置がそれぞれ、内部バスを介して相互に通信可能に接続されたラインカードの形態で構成され、センタ装置とは異なるロケーションに設置された１つの装置筐体に収容されている
ことを特徴とする請求項５に記載の通信状態監視システム。
【請求項７】
ラインカード形態の複数のリモート装置を収容した２以上の装置筐体がそれぞれ、センタ装置とは異なるロケーションに設置され、各装置筐体間は伝送媒体を介して相互に通信可能に接続されている
ことを特徴とする請求項６に記載の通信状態監視システム。
【発明の詳細な説明】
【技術分野】
【０００１】
本発明は、センタ装置と、当該センタ装置とは異なるロケーションに設置された複数のリモート装置とを含み、前記センタ装置と複数のリモート装置とが個別の伝送媒体を介して相互に接続されて通信を行う通信網における通信状態を監視する技術に関する。
【背景技術】
【０００２】
センタ装置と、当該センタ装置とは異なるロケーションに設置されたリモート装置とを含み、前記センタ装置とリモート装置とが伝送媒体を介して相互に接続されて通信を行う通信網における通信状態を監視する従来技術について、図１を用いて説明する。
【０００３】
図１において、１はセンタ装置、２はセンタ装置１とは異なるロケーションに設置されたリモート装置、３はセンタ装置１とリモート装置２とを相互に接続し通信可能とする伝送媒体であり、センタ装置１がリモート装置２と通信を行うための自身の通信インタフェース１１の状態を監視することにより、センタ装置１とリモート装置２との通信リンクの正常性を確認する方法が適用されている。具体的には、通信インタフェース１１とリモート装置２の通信インタフェース２１との間のリンクの状態、通信インタフェース２１から送信される信号の受信強度、通信インタフェース２１から送信される信号の品質（エラーの状態）などを監視する方法がある。
【０００４】
通信インタフェース１１と通信インタフェース２１との間のリンクがダウンした場合には、伝送媒体３もしくはリモート装置２の通信インタフェース２１のいずれか一方、又は両方に障害が発生したことを知ることができる。
【０００５】
この他、センタ装置１とリモート装置２との間で主信号とは異なる監視用信号ｃ１，ｃ２を定期的に送受信することにより、センタ装置１とリモート装置２との間の通信リンクが正常に機能していることを確認する方法が広く用いられている。
【０００６】
即ち、センタ装置１がリモート装置２から送信された監視用信号ｃ２を正常に受信している状態ではリモート装置２の通信インタフェース２１およびセンタ装置１とリモート装置２との間の伝送媒体３が共に正常に動作していること、つまりリンクが正常に動作していることを確認することができる。一方、センタ装置１がリモート装置２から送信された監視用信号ｃ２を受信できない場合には伝送媒体３もしくはリモート装置２の通信インタフェース２１のいずれか一方、又は両方に障害が発生したことを知ることができる。
【０００７】
また、センタ装置１から送信された監視用信号ｃ１のリモート装置２における受信状態をリモート装置２が監視用信号ｃ２に記述してセンタ装置１に送信するといった方法で通知することにより、センタ装置１はリモート装置２の通信インタフェース２１の受信部の正常性を確認することができる。
【０００８】
以上に述べた方法により、センタ装置１とリモート装置２との間のリンクの双方向の正常性を確認することができる。
【０００９】
ここで、監視用信号を送信する時間間隔を十分に短くすることにより、リモート装置２もしくはセンタ装置１とリモート装置２との間のリンクにおいて発生する障害を即時的に検知することが可能となる。
【００１０】
正常性を監視するための信号としては、非特許文献１で規定されるEthernet（登録商標） CC（Continuity Check）信号といったＯＡＭ（operations、administration and maintenance）信号が使用される。
【００１１】
また、リモート装置２からセンタ装置１へ送信される監視用信号ｃ２には、リモート装置２の状態に関する情報（以下、「装置状態情報」）を記述して送信することも考えられる。その場合、センタ装置１はリモート装置２の詳細な状態を知ることができる。
【発明の概要】
【発明が解決しようとする課題】
【００１２】
しかしながら、上記の従来技術では以下の課題があった。
【００１３】
センタ装置１とリモート装置２とを接続する伝送媒体３において障害が発生した場合、リモート装置２の通信インタフェース２１に障害が発生した場合と同様に、センタ装置１において通信インタフェース１１のリンクダウンおよびリモート装置２から送信された監視用信号ｃ２を受信できない事象が発生する。
【００１４】
このため、センタ装置１は通信インタフェース１１のリンクダウンもしくはリモート装置２から送信された監視用信号ｃ２が受信できないことを以ってリンクに障害が発生したことを検知することができるものの、障害の発生箇所が伝送媒体３であるのか、又はリモート装置２であるのかの切り分けを行うことは困難である。従って、場合によってはリモート装置２を設置しているロケーションに工事担当者を派遣するといった作業が発生し、故障個所を特定するまでの時間を要したり、運用コストが増加するという課題があった。
【課題を解決するための手段】
【００１５】
本発明では上記の課題を解決するため、複数のリモート装置において装置状態情報をそれぞれ収集するとともに共有し、当該装置状態情報を各リモート装置からリモート装置とセンタ装置とを接続する伝送媒体を介してセンタ装置に送信することを特徴とする。
【発明の効果】
【００１６】
本発明によれば、センタ装置は、あるリモート装置の装置状態情報を、当該あるリモート装置とセンタ装置とが通信のために使用する伝送媒体とは異なる他の伝送媒体を介して入手することができ、これにより、センタ装置と当該あるリモート装置との間のリンクに障害が発生した場合に、その発生箇所が伝送媒体であるのか、又はリモート装置であるのかの切り分け、即ち障害の発生箇所の切り分けを容易に行うことが可能となり、障害復旧時間の短縮やオペレーションコストの削減、およびシステムの信頼性の向上を実現する効果が期待される。
【図面の簡単な説明】
【００１７】
【図１】従来の通信状態監視システムの一例を示す構成図
【図２】本発明の通信状態監視システムの第１の実施の形態を示す構成図
【図３】本発明の通信状態監視システムの第１の実施の形態に対応するセンタ装置の動作フローチャートの一例を示す図
【図４】本発明の通信状態監視システムの第１の実施の形態に対応するリモート装置の動作フローチャートの一例を示す図
【図５】本発明の通信状態監視システムの第１の実施の形態に対応するセンタ装置の動作フローチャートの他の例を示す図
【図６】本発明の通信状態監視システムの第１の実施の形態に対応するリモート装置の他の動作フローチャートの他の例を示す図
【図７】本発明の通信状態監視システムの第２の実施の形態を示す構成図
【図８】本発明の通信状態監視システムの第３の実施の形態を示す構成図
【図９】本発明の通信状態監視システムの第４の実施の形態に対応するセンタ装置の動作フローチャートの一例を示す図
【図１０】本発明の通信状態監視システムの第４の実施の形態に対応する代表リモート装置の動作フローチャートの一例を示す図
【図１１】本発明の通信状態監視システムの第４の実施の形態に対応するリモート装置の動作フローチャートの一例を示す図
【図１２】本発明の通信状態監視システムの第４の実施の形態に対応するセンタ装置の動作フローチャートの他の例を示す図
【図１３】本発明の通信状態監視システムの第４の実施の形態に対応する代表リモート装置の動作フローチャートの他の例を示す図
【図１４】本発明の通信状態監視システムの第４の実施の形態に対応するリモート装置の動作フローチャートの他の例を示す図
【図１５】本発明の通信状態監視システムの第５の実施の形態を示す構成図
【図１６】本発明の通信状態監視システムの第６の実施の形態を示す構成図
【図１７】本発明の通信状態監視方法の適用例を示す構成図
【発明を実施するための形態】
【００１８】
以下、本発明の動作について図面を用いて詳細に説明する。
【００１９】
図２は本発明の通信状態監視システムの第１の実施の形態を示すもので、図中、１０はセンタ装置、２０Ａ，２０Ｂはセンタ装置１０とは異なるロケーションに設置されたリモート装置、３０Ａ，３０Ｂ，４１は伝送媒体である。
【００２０】
センタ装置１０はリモート装置２０Ａ，２０Ｂとの通信のための通信インタフェース１１ａ，１１ｂを備え、また、リモート装置２０Ａはセンタ装置１０との通信のための通信インタフェース２１ａとともにリモート装置２０Ｂとの通信のための通信インタフェース２２ａを備え、また、リモート装置２０Ｂはセンタ装置１０との通信のための通信インタフェース２１ｂとともにリモート装置２０Ａとの通信のための通信インタフェース２２ｂを備えている。
【００２１】
また、センタ装置１０およびリモート装置２０Ａは通信インタフェース１１ａおよび２１ａにより伝送媒体３０Ａを介して相互に通信可能に接続され、センタ装置１０およびリモート装置２０Ｂは通信インタフェース１１ｂおよび２１ｂにより伝送媒体３０Ｂを介して相互に通信可能に接続され、リモート装置２０Ａおよび２０Ｂは通信インタフェース２２ａおよび２２ｂにより伝送媒体４１を介して相互に通信可能に接続されている。
【００２２】
前記構成において、センタ装置１０は通信インタフェース１１ａの状態を監視することによりリモート装置２０Ａとの間の通信リンクの正常性を確認し、通信インタフェース１１ｂの状態を監視することによりリモート装置２０Ｂとの通信リンクの正常性を確認する。また、センタ装置１０はリモート装置２０Ａおよび２０Ｂとそれぞれ、主信号とは別の監視用信号ｃ１ａ，ｃ２ａおよびｃ１ｂ，ｃ２ｂを送受信することにより通信リンクの正常性を確認する。
【００２３】
リモート装置２０Ａは自身の装置状態情報を作成するとともに対向して接続された他方のリモート装置２０Ｂの装置状態情報を定期的に又はセンタ装置１０からの指示に応じて伝送媒体４１を介して収集し、また、リモート装置２０Ｂも自身の装置状態情報を作成するとともに対向して接続された他方のリモート装置２０Ａの装置状態情報を定期的に又はセンタ装置１０からの指示に応じて伝送媒体４１を介して収集する。ここで、リモート装置２０Ａおよび２０Ｂの装置状態情報はそれぞれ、少なくとも当該リモート装置２０Ａおよび２０Ｂの通信インターフェース２１ａおよび２１ｂの正常性に関する情報を含む。なお、各通信インターフェースの正常性はそれぞれリモート装置内で確認することができる。
【００２４】
リモート装置２０Ａは自身の装置状態情報とともにリモート装置２０Ｂの装置状態情報を伝送媒体３０Ａを介してセンタ装置１０に定期的に又はセンタ装置１０からの指示に応じて送信する。また、リモート装置Ｂも自身の装置状態情報とともにリモート装置２０Ａの装置状態情報を伝送媒体３０Ｂを介してセンタ装置１０に定期的に又はセンタ装置１０からの指示に応じて送信する。
【００２５】
各リモート装置２０Ａ，２０Ｂは識別子により管理され、センタ装置１０は各リモート装置２０Ａ，２０Ｂの識別子の情報を含む装置状態情報を定期的に又は障害検知時に異なるリモート装置経由で指示を出して収集することにより、各リモート装置２０Ａ，２０Ｂの装置状態情報を収集し、一元的に管理することが可能となる。
【００２６】
図３は本実施の形態に対応するセンタ装置の動作フローチャートの一例、図４は本実施の形態に対応するリモート装置の動作フローチャートの一例、ここでは装置状態情報を定期的に収集する場合の例をそれぞれ示す。また、図５は本実施の形態に対応するセンタ装置の動作フローチャートの他の例、図６は本実施の形態に対応するリモート装置の動作フローチャートの他の例、ここでは装置状態情報をセンタ装置からの指示に応じて収集する場合の例をそれぞれ示す。
【００２７】
ここで例えば、伝送媒体３０Ａに障害が発生した場合、センタ装置１０では通信インタフェース１１ａがリンクダウンし、リモート装置２０Ａから送信された監視用信号ｃ２ａを受信できない状態が発生する。この時、従来技術ではその原因が伝送媒体３０Ａの障害にあるのか、又はリモート装置２０Ａの通信インタフェース２１ａの障害にあるのかの切り分けを行うことができなかった。
【００２８】
本発明ではリモート装置２０Ａの装置状態情報は定期的に又はセンタ装置１０からの指示に応じてリモート装置２０Ｂに収集され、リモート装置２０Ｂから伝送媒体３０Ｂを介してセンタ装置１０に送信されるため、伝送媒体３０Ａの障害の発生の有無に拘わらず、センタ装置１０はリモート装置２０Ａの装置状態情報を収集することができる。このためセンタ装置１０がリモート装置２０Ａとのリンクの異常を検知した場合に、障害の発生箇所がリモート装置２０Ａであるのか、又は伝送媒体３０Ａであるのかの切り分けを容易に行うことができる。
【００２９】
また、伝送媒体３０Ｂに障害が発生した場合も、上記と同様にセンタ装置１０はリモート装置２０Ｂの装置状態情報を収集することができる。
【００３０】
さらに、障害の発生箇所がリモート装置２０Ａである場合に、その障害の発生部位をさらに詳細に特定するには、リモート装置２０Ａにおいてループバック試験等の装置内試験を実施することが想定される。この場合、センタ装置１０はリモート装置２０Ｂに対する監視用信号ｃ１ｂにリモート装置２０Ａにおけるループバック試験を指示する信号を載せてリモート装置２０Ｂに送信することが考えられる。リモート装置２０Ｂは通信インタフェース２２ｂ、伝送媒体４１および通信インタフェース２２ａを介してリモート装置２０Ａに当該リモート装置２０Ａにおける装置内試験の実施を指示する信号を転送する。リモート装置２０Ａにおける装置内試験の実施結果は、上記ルートとは逆方向に監視用信号ｃ２ｂによりセンタ装置１０へ送信することができる。
【００３１】
なお、リモート装置２０Ａ全体の障害により、リモート装置２０Ａの装置状態情報がリモート装置２０Ｂに全く送信されず、また、リモート装置２０Ｂからの信号に対してもリモート装置２０Ａが全く応答しない場合には、その旨の装置状態情報がリモート装置２０Ｂからセンタ装置１０へ送信され、これによってセンタ装置１０がリモート装置２０Ａ全体の障害を確認できることはいうまでもない（リモート装置２０Ｂ全体の障害の場合も同様）。
【００３２】
センタ装置１０と各リモート装置２０Ａ，２０Ｂが異なる拠点に設置され、リモート装置２０Ａ，２０Ｂが同一の拠点に設置されるケースを想定すると、リモート装置２０Ａ，２０Ｂを接続する伝送媒体４１に障害が発生する可能性は、伝送媒体３０Ａ又は３０Ｂに障害が発生する可能性より一般的に低いことが予想され、本発明の構成の有効性が確認できる。
【００３３】
また、センタ装置１０と各リモート装置２０Ａ，２０Ｂを接続する伝送媒体３０Ａ，３０Ｂのいずれかに障害が発生した場合、センタ装置１０と当該障害が発生した伝送媒体に対応するリモート装置は直接通信できないが、少なくとも当該リモート装置の装置状態情報を他のルートを経由して収集することができる。
【００３４】
図７は本発明の通信状態監視システムの第２の実施の形態、ここではリモート装置が３台の場合の例を示すもので、図中、第１の実施の形態と同一構成部分は同一符号をもって表す。即ち、１０はセンタ装置、２０Ａ，２０Ｂ，２０Ｃはセンタ装置１０とは異なるロケーションに設置されたリモート装置、３０Ａ，３０Ｂ，３０Ｃ，４１，４２は伝送媒体である。
【００３５】
センタ装置１０はリモート装置２０Ａ，２０Ｂ，２０Ｃとの通信のための通信インタフェース１１ａ，１１ｂ，１１ｃを備え、また、リモート装置２０Ａはセンタ装置１０との通信のための通信インタフェース２１ａとともにリモート装置２０Ｂとの通信のための通信インタフェース２２ａを備え、また、リモート装置２０Ｂはセンタ装置１０との通信のための通信インタフェース２１ｂとともにリモート装置２０Ａ，２０Ｃとの通信のための通信インタフェース２２ｂ，２３ｂを備え、また、リモート装置２０Ｃはセンタ装置１０との通信のための通信インタフェース２１ｃとともにリモート装置２０Ｂとの通信のための通信インタフェース２２ｃを備えている。
【００３６】
また、センタ装置１０およびリモート装置２０Ａは通信インタフェース１１ａおよび２１ａにより伝送媒体３０Ａを介して相互に通信可能に接続され、センタ装置１０およびリモート装置２０Ｂは通信インタフェース１１ｂおよび２１ｂにより伝送媒体３０Ｂを介して相互に通信可能に接続され、センタ装置１０およびリモート装置２０Ｃは通信インタフェース１１ｃおよび２１ｃにより伝送媒体３０Ｃを介して相互に通信可能に接続され、リモート装置２０Ａおよび２０Ｂは通信インタフェース２２ａおよび２２ｂにより伝送媒体４１を介して相互に通信可能に接続され、リモート装置２０Ｂおよび２０Ｃは通信インタフェース２３ｂおよび２２ｃにより伝送媒体４２を介して相互に通信可能に接続されている。
【００３７】
本構成においても、第１の実施の形態の場合と同様の手順により、各リモート装置２０Ａ，２０Ｂ，２０Ｃは自身の装置状態情報を作成するとともに対向して接続されたリモート装置の装置状態情報を定期的に又はセンタ装置１０からの指示に応じて収集し、自身がセンタ装置１０と接続する伝送媒体３０Ａ，３０Ｂ，３０Ｃを介して、自身の装置状態情報とともに対向して接続されたリモート装置の装置状態情報を定期的に又はセンタ装置１０からの指示に応じてセンタ装置１０へ送信する。各リモート装置２０Ａ，２０Ｂ，２０Ｃは識別子により管理され、センタ装置１０は各リモート装置２０Ａ，２０Ｂ，２０Ｃの識別子の情報を含む装置状態情報を定期的に又は障害検知時に異なるリモート装置経由で指示を出して収集することにより、各リモート装置２０Ａ，２０Ｂ，２０Ｃの装置状態情報を収集し、一元的に管理することが可能となる。
【００３８】
しかし、第２の実施の形態ではリモート装置２０Ｂに障害が発生した場合、リモート装置２０Ａおよび２０Ｃの装置状態情報をセンタ装置１０が収集するルートがそれぞれ伝送媒体３０Ａおよび３０Ｃに限定され、さらにこれらの伝送媒体３０Ａおよび３０Ｃに障害が発生した場合は、センタ装置１０が当該伝送媒体３０Ａおよび３０Ｃに接続しているリモート装置の装置状態情報を全く収集することができない事態を招く可能性がある。
【００３９】
図８は前述した第２の実施の形態の問題を解決した本発明の通信状態監視システムの第３の実施の形態を示すもので、ここでは第２の実施の形態において、リモート装置２０Ａにリモート装置２０Ｃとの通信のための通信インタフェース２３ａを設け、リモート装置２０Ｃにリモート装置２０Ａとの通信のための通信インタフェース２３ｃを設けて、リモート装置２０Ａとリモート装置２０Ｃとを伝送媒体４３で接続する、即ち各リモート装置をリングトポロジにより互いに接続することにより、例えリモート装置２０Ｂに障害が発生した場合でも、リモート装置２０Ａとリモート装置２０Ｃとの間で伝送媒体４３を介して互いに対向して接続されたリモート装置の装置状態情報を収集し、伝送媒体３０Ａおよび３０Ｃを介してそれぞれセンタ装置１０へ送信可能としたものである。
【００４０】
なお、前述した図３乃至図６の動作フローチャートは、第２、第３の実施の形態におけるセンタ装置およびリモート装置にもそのまま対応する。
【００４１】
また、第２、第３の実施の形態はリモート装置の台数が４台以上の場合であっても、同様に適用可能であることはいうまでもない。
【００４２】
図９乃至図１４は本発明の通信状態監視システムの第４の実施の形態、ここでは各リモート装置の装置状態情報をセンタ装置へ代表して送信する特定のリモート装置（以下、代表リモート装置）を設定して送信する場合の例におけるセンタ装置、代表リモート装置およびリモート装置の動作フローチャートを示すもので、図９、図１０および図１１は装置状態情報を定期的に収集する場合の例を、図１２、図１３および図１４は装置状態情報をセンタ装置からの指示に応じて収集する場合の例をそれぞれ示す。
【００４３】
代表リモート装置は、各リモート装置の状態情報を定期的に又はセンタ装置からの指示に応じて収集し、代表リモート装置がセンタ装置へ一括して送信することに特徴がある。代表リモート装置には、センタ装置から各リモート装置への詳細な装置内試験の実施の指示を各リモート装置を代表して受信し、該当するリモート装置へ転送し、また、当該リモート装置内での試験結果を収集してセンタ装置へ送信する役割もある。
【００４４】
代表リモート装置に障害が発生した場合や代表リモート装置とセンタ装置との間の通信リンクに障害が発生した場合には、他のリモート装置が代わって代表リモート装置となり、センタ装置へのリモート装置の装置状態情報の通知を継続することができる。なお、代表リモート装置の切り替えは、例えば障害を検出したセンタ装置が予め定めた順番に従って各リモート装置に指令を出す、各リモート装置間で自律的に設定し、その結果をセンタ装置に通知する等により行うことができる。
【００４５】
図１５は本発明の通信状態監視システムの第５の実施の形態、ここでは複数のリモート装置がそれぞれラインカードの形態で構成され、１つの装置筐体に全て収容されている場合の例を示すものである。即ち、図中、１０はセンタ装置、５０はセンタ装置１０とは異なるロケーションに設置された装置筐体であり、当該装置筐体５０内にはラインカードによる複数、ここでは４つのリモート装置５０Ａ，５０Ｂ，５０Ｃ，５０Ｄが実装されている。
【００４６】
センタ装置１０はリモート装置５０Ａ，５０Ｂ，５０Ｃ，５０Ｄとの通信のための通信インタフェース１１ａ，１１ｂ，１１ｃ，１１ｄを備え、また、リモート装置５０Ａはセンタ装置１０との通信のための通信インタフェース５１ａとともに他のリモート装置５０Ｂ，５０Ｃ，５０Ｄとの通信のための通信インタフェース５２ａを備え、また、リモート装置５０Ｂはセンタ装置１０との通信のための通信インタフェース５１ｂとともに他のリモート装置５０Ａ，５０Ｃ，５０Ｄとの通信のための通信インタフェース５２ｂを備え、また、リモート装置５０Ｃはセンタ装置１０との通信のための通信インタフェース５１ｃとともに他のリモート装置５０Ａ，５０Ｂ，５０Ｄとの通信のための通信インタフェース５２ｃを備え、また、リモート装置５０Ｄはセンタ装置１０との通信のための通信インタフェース５１ｄとともに他のリモート装置５０Ａ，５０Ｂ，５０Ｃとの通信のための通信インタフェース５２ｄを備えている。
【００４７】
また、センタ装置１０およびリモート装置５０Ａは通信インタフェース１１ａおよび５１ａにより伝送媒体３０Ａを介して相互に通信可能に接続され、センタ装置１０およびリモート装置５０Ｂは通信インタフェース１１ｂおよび５１ｂにより伝送媒体３０Ｂを介して相互に通信可能に接続され、センタ装置１０およびリモート装置５０Ｃは通信インタフェース１１ｃおよび５１ｃにより伝送媒体３０Ｃを介して相互に通信可能に接続され、センタ装置１０およびリモート装置５０Ｄは通信インタフェース１１ｄおよび５１ｄにより伝送媒体３０Ｄを介して相互に通信可能に接続され、各リモート装置５０Ａ，５０Ｂ，５０Ｃ，５０Ｄ間は各通信インタフェース５２ａ，５２ｂ，５２ｃ，５２ｄにより伝送媒体、ここでは装置筐体５０の内部バス５３を介して相互に通信可能に接続されている。
【００４８】
本構成においても、第１乃至第４の実施の形態の場合と同様の手順により、各リモート装置５０Ａ，５０Ｂ，５０Ｃ，５０Ｄは自身の装置状態情報を作成するとともにバス接続された他のリモート装置の装置状態情報を定期的に又はセンタ装置１０からの指示に応じて収集し、自身がセンタ装置１０と接続する伝送媒体３０Ａ，３０Ｂ，３０Ｃ，３０Ｄを介して、自身の装置状態情報とともにバス接続された他のリモート装置の装置状態情報を定期的に又はセンタ装置１０からの指示に応じてセンタ装置１０へ送信する。各リモート装置５０Ａ，５０Ｂ，５０Ｃ，５０Ｄは識別子により管理され、センタ装置１０は各リモート装置５０Ａ，５０Ｂ，５０Ｃ，５０Ｄの識別子の情報を含む装置状態情報を定期的に又は障害検知時に異なるリモート装置経由で指示を出して収集することにより、各リモート装置５０Ａ，５０Ｂ，５０Ｃ，５０Ｄの装置状態情報を収集し、一元的に管理することが可能となる。
【００４９】
図１６は本発明の通信状態監視システムの第６の実施の形態、ここでは第５の実施の形態で説明したラインカード形態の複数のリモート装置を収容した装置筐体が２以上存在する場合の例を示すものである。即ち、図中、５０−１，５０−２，…５０−ｎはそれぞれ、センタ装置１０とは異なるロケーションに設置された２以上、ここではｎ個の装置筐体であり、当該各装置筐体５０−１〜５０−ｎ内にはそれぞれ、第５の実施の形態の場合と同様、内部バスを介して相互に通信可能に接続されたラインカードによる複数のリモート装置が実装されている。また、装置筐体５０−１〜５０−ｎ内の各リモート装置とセンタ装置１０との間はそれぞれ、伝送媒体を介して相互に通信可能に接続され、さらに各装置筐体５０−１〜５０−ｎ間は伝送媒体４４を介して相互に通信可能に接続されている。
【００５０】
本構成によれば、第５の実施の形態の場合と同様に装置筐体５０−１〜５０−ｎ内の各リモート装置間で装置状態情報が共有可能であるとともに、各装置筐体５０−１〜５０−ｎ間でのリモート装置の装置状態情報の共有も可能となり、例えば、ある装置筐体内の全てのリモート装置とセンタ装置１０との間の伝送媒体に障害が発生したような場合であっても、他の装置筐体内のリモート装置を通じて当該ある装置筐体内のリモート装置の装置状態情報を収集することが可能となる。
【００５１】
以上説明した実施の形態において、センタ装置とリモート装置との間を接続する伝送媒体としては、例えば光ファイバ、ＵＴＰケーブル、同軸ケーブル、無線通信などが考えられる。また、リモート装置間を接続する伝送媒体としては上記に加えてＵＳＢケーブル、装置筐体内の内部バス等が考えられ、装置筐体間を接続する伝送媒体としては上記に加えてＵＳＢケーブル等が考えられる。
【実施例１】
【００５２】
図１７はセンタ装置に複数のリモート装置を接続する通信網への本発明の通信状態監視方法の適用例、ここではＣ−ＲＡＮ（Centralized Radio Access Network）と呼ばれるモバイル通信の基地局アーキテクチャを採用した基地局本体およびリモート基地局で構成される分散型の基地局システムへの適用例を示す。
【００５３】
Ｃ−ＲＡＮアーキテクチャでは、基地局をベースバンド信号処理を行う基地局本体６０と、アンテナを設置する拠点（セルサイト）に設置されアンテナに接続される複数、ここでは２台のリモート基地局（張出し部）７０Ａ，７０Ｂとに分離し、両者を光ファイバ８０Ａ，８０Ｂにより接続する。リモート基地局は通常、セクタ単位、周波数帯の単位で設置されるため、例えば３セクタ、２周波数帯で運用されるマクロ基地局ではセルサイトに計６台のリモート基地局を設置する。
【００５４】
セルサイトにおいてリモート基地局７０Ａ，７０Ｂ同士を別の伝送媒体４５で接続し、リモート基地局７０Ａ，７０Ｂの装置状態情報を各リモート基地局７０Ａ，７０Ｂ間で共有し、共有された装置状態情報をそれぞれのリモート基地局７０Ａ，７０Ｂが基地局本体６０に送信することにより、基地局本体６０はリモート基地局７０Ａ，７０Ｂの信頼性の高い監視を実現することが可能となる。
【００５５】
なお、６１ａ，６１ｂは基地局本体６０の通信インタフェース、７１ａ，７２ａはリモート基地局７０Ａの通信インタフェース、７１ｂ，７２ｂはリモート基地局７０Ｂの通信インタフェースである。
【００５６】
本発明のリモート装置の監視方法は、センタ装置および複数のリモート装置で構成されるその他の通信システムにも幅広く適用することができる。
【００５７】
なお、本発明は、周知のコンピュータに記録媒体もしくは通信回線を介して、図３乃至図６又は図９乃至図１４のフローチャートに示された手順を備えるプログラムをインストールすることによって実現可能である。
【符号の説明】
【００５８】
１０：センタ装置、１１ａ，１１ｂ，１１ｃ，１１ｄ：通信インタフェース、
２０Ａ，２０Ｂ，２０Ｃ：リモート装置、２１ａ，２１ｂ，２１ｃ，２２ａ，２２ｂ，２２ｃ，２３ａ，２３ｂ，２３ｃ：通信インタフェース、
３０Ａ，３０Ｂ，３０Ｃ，３０Ｄ，４１，４２，４３，４４，４５：伝送媒体、
５０，５０−１，５０−２，…５０−ｎ：装置筐体、５０Ａ，５０Ｂ，５０Ｃ，５０Ｄ：リモート装置、５１ａ，５１ｂ，５１ｃ，５１ｄ，５２ａ，５２ｂ，５２ｃ，５２ｄ：通信インタフェース、５３：内部バス、
６０：基地局本体、６１ａ，６１ｂ：通信インタフェース、
７０Ａ，７０Ｂ：リモート基地局、７１ａ，７１ｂ，７２ａ，７２ｂ：通信インタフェース、
８０Ａ，８０Ｂ：光ファイバ、
ｃ１ａ，ｃ１ｂ，ｃ１ｃ，ｃ１ｄ，ｃ２ａ，ｃ２ｂ，ｃ２ｃ，ｃ２ｄ：監視用信号。
【先行技術文献】
【非特許文献】
【００５９】
【非特許文献１】ITU-T G.8013/Y.1731, pp.10-12
【図１】
2015111797.tif 000003
【図２】
2015111797.tif 000004
【図３】
2015111797.tif 000005
【図４】
2015111797.tif 000006
【図５】
2015111797.tif 000007
【図６】
2015111797.tif 000008
【図７】
2015111797.tif 000009
【図８】
2015111797.tif 000010
【図９】
2015111797.tif 000011
【図１０】
2015111797.tif 000012
【図１１】
2015111797.tif 000013
【図１２】
2015111797.tif 000014
【図１３】
2015111797.tif 000015
【図１４】
2015111797.tif 000016
【図１５】
2015111797.tif 000017
【図１６】
2015111797.tif 000018
【図１７】
2015111797.tif 000019